(57)【要約】【課題】本発明は、車載用表示装置と、それを実装した移動機器に関するもので、利便性を高めることを目的とするものである。【解決手段】本発明は、自動車１の被取付部１３に対して、車載用表示装置７の本体ケース８を、着脱自在に取り付けるための取付部１４を設けたので、車載用表示装置７の搬送時には自動車１に取り付けた状態で搬送でき、しかもこの自動車１内では３次元表示部による３次元画像を視聴することもでき、利便性の高いものとなるのである。また、移動後には、自動車１から取り外し、所定間隔をおいて配置された複数の撮影レンズ１０、１１による３次元画像の撮影も可能となり、この点からも利便性の高いものとなるのである。【選択図】図３
2013123976.tif 000002
【特許請求の範囲】
【請求項１】
本体ケースと、この本体ケースの表面側に設けた３次元表示部と、この３次元表示部外の前記本体ケース部分に、所定間隔をおいて配置された複数の撮影レンズとを備え、前記本体ケースには、移動機器に対して、この本体ケースを、着脱自在に取り付けるための取付部を設けた車載用表示装置。
【請求項２】
複数の撮影レンズは、３次元表示部の上方において、本体ケースの表裏面に対して回動自在に設けた請求項１に記載の車載用表示装置。
【請求項３】
複数の撮影レンズは、３次元表示部の上方において、左右に所定間隔をおいて一体に配置され、この一体となった複数の撮影レンズを、本体ケースの表裏面に対して回動自在に設けた請求項１に記載の車載用表示装置。
【請求項４】
取付部は、本体ケースの左右に配置した請求項１から３のいずれか一つに記載の車載用表示装置。
【請求項５】
取付部には、撮影スイッチを配置した請求項４に記載の車載用表示装置。
【請求項６】
本体ケースには、移動機器の被取付部に対する取り付け検出を行う検出スイッチを設け、この検出スイッチは、制御部に接続し、この制御部には、３次元表示部を接続した請求項１から５のいずれか一つに記載の車載用表示装置。
【請求項７】
請求項１から６のいずれか一つに記載の車載用表示装置が、着脱自在に取り付けられる被取付部を設けた移動機器。
【請求項８】
被取付部は、前席の背面側に設けた請求項７に記載の移動機器。
【請求項９】
被取付部は、前席ヘッドレストの背面側に設けた請求項８に記載の移動機器。
【請求項１０】
被取付部には、車載用表示装置の取り外し釦を設けた請求項７から９のいずれか一つに記載の移動機器。
【発明の詳細な説明】
【技術分野】
【０００１】
本発明は、車載用表示装置と、それを実装した移動機器（例えば自動車）に関するものである。
【背景技術】
【０００２】
３次元表示部を用いた表示装置が実用化され、これは携帯可能なものとなっているので、自動車や電車などの移動機器に持ち込んで、３次元画像の視聴が出来るようになっている（例えば下記先行文献１参照）。
【０００３】
また、３次元画像を撮影するカメラ（例えば下記先行文献２参照）も実用化され、これも携帯可能となっているので、使い勝手が極めて高くなっている。
【先行技術文献】
【特許文献】
【０００４】
【特許文献１】特開平８−１９４２７３号公報
【特許文献２】特開２００６−２５４０７４号公報
【発明の概要】
【発明が解決しようとする課題】
【０００５】
上記従来例に示した３次元表示部を用いた表示装置も、３次元画像を撮影するカメラも、携帯可能となっているので、それを自由に持ち歩いて活用することができる。
【０００６】
しかしながら、得に上述した表示装置においては、３次元表示部を大型化することで、迫力のある３次元映像を視聴したいとの要望が強く、そのようになると、当然のこととして表示装置自体が大型化し、持ち歩きには、不便なものとなる。
【０００７】
また、３次元画像を撮影するカメラで撮影した３次元画像を上述した表示装置で視聴しようとした場合には、このカメラと上述した表示装置を一緒に持ち運ぶことになるので、さらに不便なものとなる。
【０００８】
そこで本発明は、利便性を高めることを目的とするものである。
【課題を解決するための手段】
【０００９】
そして、この目的を達成するために本発明は、本体ケースと、この本体ケースの表面側に設けた３次元表示部と、この３次元表示部外の前記本体ケース部分に、所定間隔をおいて配置された複数の撮影レンズとを備え、前記本体ケースには、移動機器に対して、この本体ケースを、着脱自在に取り付けるための取付部を設けた構成とし、これにより所期の目的を達成するものである。
【発明の効果】
【００１０】
以上のように、本発明は、本体ケースと、この本体ケースの表面側に設けた３次元表示部と、この３次元表示部外の前記本体ケース部分に、所定間隔をおいて配置された複数の撮影レンズとを備え、前記本体ケースには、移動機器に対して、この本体ケースを、着脱自在に取り付けるための取付部を設けた構成としたので、極めて利便性の高いものとなる。
【００１１】
すなわち、本発明においては、移動機器の被取付部に対して、前記本体ケースを、着脱
自在に取り付けるための取付部を設けたので、搬送時には移動機器に取り付けた状態で搬送でき、しかもこの移動機器内では３次元表示部による３次元画像を視聴することもでき、利便性の高いものとなるのである。
【００１２】
また、移動後には、移動機器から取り外し、所定間隔をおいて配置された複数の撮影レンズによる３次元画像の撮影も可能となり、この点からも利便性の高いものとなるのである。
【図面の簡単な説明】
【００１３】
【図１】本発明の一実施形態にかかる車載用表示装置を実装した移動機器を示す平面図
【図２】同移動機器の運転席の背面側を示す正面図
【図３】同移動機器の運転席の背面側を示す分解斜視図
【図４】（ａ）同車載用表示装置の正面図（ｂ）同車載用表示装置の背面図
【図５】（ａ）同車載用表示装置の３次元表示部の一部を示す正面図（ｂ）同平面図
【図６】同車載用表示装置の制御ブロック図
【図７】（ａ）本発明の他の実施形態にかかる車載用表示装置の３次元表示部の一部を示す正面図（ｂ）同平面図
【発明を実施するための形態】
【００１４】
以下、本発明の実施の形態を添付図面を用いて説明する。
【００１５】
（実施の形態１）
図１において、１は移動機器の一例として用いた自動車で、その車内２内の前方にはハンドル３が配置されている。
【００１６】
また、車内２の前方には、運転席と助手席が前席４として配置されて、さらに、車内２の後方には、後席５が配置されている。
【００１７】
また、前席４背面側には、具体的には、前席ヘッドレスト６の背面側に、図２、図３のごとく車載用表示装置７が着脱自在に取り付けられている。
【００１８】
車載用表示装置７は、これらの図２、図４に示すすように、薄い箱型の本体ケース８と、この本体ケース８の表面側に設けた横長長方形状の３次元表示部９と、この３次元表示部９外の前記本体ケース８部分に、所定間隔をおいて配置された複数の撮影レンズ１０、１１とを備えている。
【００１９】
前記複数の撮影レンズ１０、１１は、回動体１２の、左右に所定間隔をおいて一体に配置されており、この回動体１２が、３次元表示部９の上方において、本体ケース８の表裏面に対して回動自在に設けられている。
【００２０】
つまり、前記複数の撮影レンズ１０、１１は、３次元表示部９の上方において、左右に所定間隔をおいて一体に配置され、この一体となった複数の撮影レンズ１０、１１を、本体ケース８の表裏面に対して回動自在に配置した状態となっているのである。
【００２１】
また、前記本体ケース８の左右部分には、自動車１の被取付部１３に対して、この本体ケース８を、着脱自在に取り付けるための取付部１４を設けた。
【００２２】
前記自動車１の被取付部１３は、上述した前席ヘッドレスト６の背面側に設けたもので、車載用表示装置７の本体ケース８が装着される横長四角形状の凹部１３ａと、この凹部１３ａの両側において設けられた切欠部１５とを有する。
【００２３】
すなわち、車載用表示装置７の本体ケース８の左右部分には、上述のごとく取付部１４を設けており、この取付部１４は図３のごとく、枠状で、その外周辺（右辺と左辺）が車内２の前方に直角状態で折り曲げられた状態となっている。
【００２４】
このため、この取付部１４を、自動車１の被取付部１３に形成した切欠部１５に、図２に示すごとく装着すれば、前記自動車１の被取付部１３に、車載用表示装置７が取り付けられるようになっているのである。
【００２５】
そして、この取り付けが完了すると、自動車１の被取付部１３に設けたロック機構（図示せず）がロック状態となり、これにより自動車１の被取付部１３への、車載用表示装置７が取り付けが完了する。
【００２６】
また、このように、前記自動車１の被取付部１３に、車載用表示装置７が取り付けられると、車載用表示装置７の背面側に図４のごとく設けた検出スイッチ１６が、この取り付けを検出し、ＯＮ状態となる。
【００２７】
この状態では、車内２の後席５に座る乗車人は、車載用表示装置７の３次元表示部９により、３次元画像を視聴することが出来る。
【００２８】
すなわち、車載用表示装置７の検出スイッチ１６がＯＮ状態となると、図６に示した制御部１７は３次元表示部９への映像送信を許可する状態となるので、３次元画像を視聴することが出来るのである。
【００２９】
なお、３次元表示部９による３次元画像は、上述した先行文献１と同じように、その表面側に図５に示すようにレンチキュラーレンズ１８を設けたものであるので、後席５に座る乗車人は左右の目で３次元表示部９をみることで、３次元画像を視聴することが出来る。
【００３０】
また、３次元画像は図７のごとく、３次元表示部９の表面側に、視差バリア方式の視差バリア１９を設けても形成することが出来る。
【００３１】
さて、本実施形態では、自動車１の運転で、目的地に到着すると、図３に示した自動車１の被取付部１３に設けた取り外し釦を２０を押せば、上述した自動車１の被取付部１３に設けたロック機構（図示せず）が外れ、その結果として、自動車１の被取付部１３から、図３のごとく、車載用表示装置７を取り外すことが出来る。
【００３２】
つまり、本実施形態においては、車載用表示装置７を自動車１の車外へと持ち出し、カメラとして活用できるようにしたものである。
【００３３】
そのために、車載用表示装置７の取付部１４には、図２〜図４に示すように撮影スイッチ２１を配置している。また、図６のごとく、制御部１７には撮影した画像を記録するメモリ２２を設けている。
【００３４】
さらに、複数の撮影レンズ１０、１１を設けた回動体１２は、上述のごとく、３次元表示部９の上方において、本体ケース８の表裏面に対して回動自在に設けられている。
【００３５】
このため、回動体１２を図４（ｂ）のごとく本体ケース８の裏面側に回動させ、複数の撮影レンズ１０、１１によって形成される３次元表示部９への３次元画像を確認しながら、撮影スイッチ２１をおせば、３次元画像を写すことができる。
【００３６】
そして、このようにして写した３次元画像は、図２の状態で、車内２で視聴することが出来るのである。
【００３７】
なお、この図２において、撮影レンズ１０、１１を車内２側に向けているのは、これら左右の撮影レンズ１０、１１で視聴者の顔を確認し、例えば画像認識で３次元表示部９と視聴者との距離を確認し（このような画像認識に基づく距離確認は周知技術）、映像調整（この映像調整も周知技術）を行うことで、３次元画像を見やすくするためである。
【００３８】
以上のごとく、本実施形態においては、自動車１の被取付部１３に対して、車載用表示装置７の本体ケース８を、着脱自在に取り付けるための取付部１４を設けたので、車載用表示装置７の搬送時には自動車１に取り付けた状態で搬送でき、しかもこの自動車１内では３次元表示部による３次元画像を視聴することもでき、利便性の高いものとなるのである。
【００３９】
また、移動後には、自動車１から取り外し、所定間隔をおいて配置された複数の撮影レンズ１０、１１による３次元画像の撮影も可能となり、この点からも利便性の高いものとなるのである。
【産業上の利用可能性】
【００４０】
以上のように、本発明は、本体ケースと、この本体ケースの表面側に設けた３次元表示部と、この３次元表示部外の前記本体ケース部分に、所定間隔をおいて配置された複数の撮影レンズとを備え、前記本体ケースには、移動機器に対して、この本体ケースを、着脱自在に取り付けるための取付部を設けた構成としたので、極めて利便性の高いものとなる。
【００４１】
すなわち、本発明においては、移動機器の被取付部に対して、前記本体ケースを、着脱自在に取り付けるための取付部を設けたので、搬送時には移動機器に取り付けた状態で搬送でき、しかもこの移動機器内では３次元表示部による３次元画像を視聴することもでき、利便性の高いものとなるのである。
【００４２】
また、移動後には、移動機器から取り外し、所定間隔をおいて配置された複数の撮影レンズによる３次元画像の撮影も可能となり、この点からも利便性の高いものとなるのである。
【符号の説明】
【００４３】
１  自動車
２  車内
３  ハンドル
４  前席
５  後席
６  前席ヘッドレスト
７  車載用表示装置
８  本体ケース
９  ３次元表示部
１０、１１  撮影レンズ
１２  回動体
１３  被取付部
１３ａ  凹部
１４  取付部
１５  切欠部
１６  検出スイッチ
１７  制御部
１８  レンチキュラーレンズ
１９  視差バリア
２０  取り外し釦
２１  撮影スイッチ
２２  メモリ
【図１】
2013123976.tif 000003
【図２】
2013123976.tif 000004
【図３】
2013123976.tif 000005
【図４】
2013123976.tif 000006
【図５】
2013123976.tif 000007
【図６】
2013123976.tif 000008
【図７】
2013123976.tif 000009